(57)【要約】      （修正有）【課題】加齢、リウマチ等により指先の動作が思うようにできない人が錠剤を容易に取り出せるＰＴＰ包装体の錠剤取り出し具を提供する。【解決手段】先に錠剤毎の個々の包装体に切り分けておき、これをヒンジ３で接続され、開いたときにヒンジの対称位置に全く同形状の複数種の穴４が開いたプレート１、２の片側面に、包装体の透明樹脂でできた凸側を下にして形状の合う穴４を選んで置いていき、次に別のプレート面を折り曲げるようにして被せ、透明樹脂の凸側が上になるよう向きを変えた上で机等に置き、専用の押し棒６で錠剤を下の格納スペースに押し出す。【選択図】図１
0003207037.tif 000002
【実用新案登録請求の範囲】
【請求項１】
ＰＴＰ包装体の錠剤取り出しに当たり、先に錠剤毎の個々の包装体に切り分けておき、これをヒンジで接続するほぼ同形状のプレートで、開けたときヒンジの対称位置に全く同形状の複数種の穴が開くプレートの片側面に、切り分けた包装体の透明樹脂でできた凸側を下にして、形状の合う穴を選んで置いていき、次に別のプレート面を折り曲げるようにして被せて、次に透明樹脂の凸側が上になるようにした上で机等に置き、専用の押し棒で錠剤を下の格納スペースに押し出していくＰＴＰ包装体の錠剤取り出し具。
【考案の詳細な説明】
【技術分野】
【０００１】  本考案はＰＴＰ包装体よりの錠剤取り出しに関するものである。
【背景技術】
【０００２】  表面は透明樹脂で錠剤形状に合わせ型押しされ、裏面は薄い金属箔で被せてあるＰＴＰ包装は、通常は表面の透明樹脂側を指で押しつぶして錠剤ごと裏面の金属箔を破り、中の錠剤を取り出すようになっている。しかし加齢、リウマチ等により指先の動作が思うようにできない人にとっては、かなり固く取り出しにくいものになっています。これに対し下記のような錠剤取り出し具が考案されているが、いずれもＰＴＰ包装体を当初より上向きのままセットし、上向きのまま上から押して錠剤を取り出す方式になっている。これだと当初載せるとき、下穴が隠れるため載せにくい。本考案では当初凸側を下にして、穴に合わせて入れるため、穴にガイドされ入れやすいものになっています。無論ＰＴＰ包装体をセット後は、ヒンジで接続する別側のプレートで被せた上で、ＰＴＰ包装体の凸側が上になるよう机等に置き、専用の押し出し具を使って錠剤を押し出すことになります。なお、合わせたプレートの上下には土手が周囲にあり、下側の土手は、取り出した錠剤の格納スペースになるとともに、錠剤の飛散を防き、上側の土手は押し棒の誤った飛び出しを防ぐことになる。
【先行技術文献】
【特許文献１】  特開２００６−２１２３８９  「錠剤カプセル取り出し装置」
【０００３】  平成１７年２月出願、平成１８年８月公開の当公報は、つながったＰＴＰ包装体の凸側を上にして、スライド式に幅調整をした上で、筆記具状の押し棒で次々押し出す業者向けを対象にしており、本考案とは異なる。
【特許文献２】  特開２０１４−１８６２６  「クスリぽん」
【０００４】  平成２４年７月出願、平成２６年２月公開の当公報も、ＰＴＰ包装体の凸側を上にして置くもので、本考案とは異なる。当特許文献では請求項１および請求項２において、広い範囲の請求をしていて、技術背景の項で、従来この様なものはなかったと言い切っているが、平成７年登録の登録実用新案公報  第３００９１１９号  「薬取出し具」
平成７年公開の実開平７−９７８０  「固形製剤取り出し器」に既に出ており、意味がない。
【特許文献３】  実用新案登録第３１８８１３２号  「錠剤取り出し器」
【０００５】  平成２５年１０月出願、平成２５年１２月登録の当公報も、当初ＰＴＰ包装体の凸側を上にして置くもので、本考案とは異なる。また当考案は係合部材に接続する凸部により、錠剤を押し出しているのに対し、本考案では専用押し出し具を使用する。
【考案の概要】
【考案が解決しようとする課題】
【０００６】  ＰＴＰ包装錠剤は、表面の凸側透明樹脂を指で押しつぶして、錠剤ごと裏面の金属箔を破り、中の錠剤を取り出すようになっている。しかし加齢、リウマチ等により指先の動作が思うようにできない人にとっては、かなり固く取り出しにくいものになっている。これを容易に取り出せるようにしようとするものである。
【課題を解決するための手段】
【０００７】  本考案ではＰＴＰ包装錠剤は、先に錠剤毎の個々の包装体に切り別けておく。これを、ヒンジで接続するほぼ同形状のプレートで、左右または上下に開いたとき対称位置に全く同形状の複数種の穴が開いたプレートの片面側に、先の包装体の透明樹脂でできた凸側を下にして形状の合う穴を選んで置いていく。次に別のプレート面を折り曲げるようにして被せる。次に透明樹脂の凸側が上になるようにした上で、机等に置き専用の押し出し具で錠剤を下に押し出していく。上下プレートはほぼ同形状のため、囲まれた土手の下側は、取り出した錠剤等の格納スペースとなるとともに錠剤等の飛散を防ぎ、囲まれた上側の土手は、押し棒の手元が狂ったときの押し棒の誤った飛び出しを防ぐ。
【考案の効果】
【０００８】  本考案により加齢、リウマチ等により指先の動作が思うようにできない人にとっても、容易に錠剤やカプセルの取り出しができるようになる。
【図面の簡単な説明】
【０００９】
【図１】  本考案のＰＴＰ包装錠剤取り出し具の斜視図である。
【図２】  本考案のＰＴＰ包装錠剤取り出し具の展開平面図である。
【図３】  本考案のＰＴＰ包装錠剤取り出し具の側面断面図である。
【図４】  本考案のＰＴＰ包装錠剤取り出し具の別使用法を示す側面断面図である。
【考案を実施するための形態】
【００１０】  図１は本考案のＰＴＰ包装錠剤取り出し具の斜視図と専用の押し棒を示す。図において１は片側プレート、２は別の片側プレートを示す。両プレートはヒンジ３で展開・折り曲げが可能に接続している。なおこの例ではヒンジとして布テープを使用している。両プレートには、折り曲げて閉じたとき合致する位置に個々のＰＴＰ包装体用の各種穴４が開けてある。５は各プレートの周囲を取り巻く土手で、プレートが錠剤等を取り出す格納側になったとき必要な高さにしてある。６は専用の押し棒で、比較的太い握り部７と、こぶしで軽く叩くための平坦部８と、錠剤を縦に押し出す縦棒部９と、握り部７を横にして使用する横棒部１０より成る。縦棒部、横棒部はいずれかのみでも可能である。なお各棒部の先端部１１は、軽いくさび形にする場合もある。
【００１１】  図２は本考案のＰＴＰ包装錠剤取り出し具を広げた展開平面図で、両プレートは平坦面を成している。３は布ヒンジである。両プレートの各種穴４はヒンジを介して左右対称に開いている。１２は個々のＰＴＰ包装体で、片側プレートの穴４に合う位置に、凸側を下にして入れたものである。１３は両プレートを閉じたときの契合用の凸部で、１４は両プレートを閉じたときの契合用の穴部である。なお両プレートのヒンジ接続部は直線である必要があるが、その他は任意の外形が可能である。
【００１２】  図３は図２の両プレートを閉じて、透明樹脂の凸側が上になるようにした上で、机等に置いた状態を示す断面図で、下側の土手に囲まれた空間１５は取り出した錠剤やカプセルの格納スペースになっている。６は専用の押し棒で、手に持って縦に使用する場合を示している。片手で位置合わせを行い、別の手で上端を軽く叩いて使用する。
【００１３】  図４は専用の押し棒６を横方向に用いた場合を示している。片手で位置を決め、横棒部１０の対向側の握り部を、別の手で軽く叩いて使用する。
【符号の説明】
【００１４】    １    片側プレート
２    別の片側プレート
３    ヒンジ
４    ＰＴＰ包装体用の各種穴
５    各プレートの周囲を取り巻く土手
６    専用の押し棒
７    専用の押し棒握り部
８    専用の押し棒平坦部
９    専用の押し棒縦棒部
１０    専用の押し棒横棒部
１１    棒部の先端部
１２    個々のＰＴＰ包装体
１３    契合用の凸部
１４    契合用の穴部
１５    土手に囲まれたスペース
【図１】
0003207037.tif 000003
【図２】
0003207037.tif 000004
【図３】
0003207037.tif 000005
【図４】
0003207037.tif 000006